(57)【要約】【課題】    本発明は、デジタル機器の入力用スイッチ、ピッキング入力スイッチ、玩具等の接点入力スイッチにおいて、構造を簡素化することにより、構成部品数を低減し、組立製作を容易にすると同時に製造コストを低減することを目的とする簡易接点スイッチ係わる。【解決手段】    スイッチレバーの支点部分にコイルスプリングを用いて支点動作させる構造によって、レバースイッチの構造を簡素化し、部品点数を減ずることにより、低コストレバースイッチを実現するもので、スイッチレバーを円周方向及び引張り方向に対するスイッチ動作を可能とする。同様の構造を用いて、通常開型のレバースイッチと通常閉型のスイッチを構成することができることを特徴とするレバースイッチ。【選択図】  図１
2006294574.tif 000002
【特許請求の範囲】
【請求項１】
デジタル機器の入力用スイッチ、ピッキング入力スイッチ、玩具等の接点入力スイッチにおいて、バネ材により中立に固定された棒状の電極が、これを取り囲む当該棒状の電極と絶縁された円筒内面に持つ電極部との間において、当該棒状の電極がバネ材を貫通し、操作レバーを構成し、当該バネ材が操作レバーの支点を構成し、且つスイッチ中立を保つ構造を有し、操作レバーを前記バネ材の弾力性に逆らって円周方向に傾斜させ動かすことによって、前記円筒内面に持つ電極部と接触すること、また、操作レバーを操作レバーの中心線方向に引いた場合に、操作レバー電極と本体円筒底部電極とが接触する円周方向操作及び引っ張り動作による電気的接点スイッチを構成し、スイッチレバーの支点をバネ材で代用することを特徴としたスイッチレバーの円周方向動作及び引張り方向で動作する簡易接点スイッチ。
【請求項２】
請求項１において、棒状の電極の頭部に当該棒状の電極が中立状態にあり、当該棒状の電極の頭部が別途当該棒状の電極を取り囲む円筒状の絶縁された筒の中心部に固定された電極に接触しており、当該棒状の電極がバネ材を貫通し操作レバーを構成し、この操作レバーを前記バネ材の弾力性に逆らって動かすことによって前記円筒状の中心部に固定された電極から離脱する構造を有することを特徴とする円周方向動作及び引張り方向で動作する簡易接点スイッチ。
【発明の詳細な説明】
【技術分野】
【０００１】  本発明は、デジタル機器の入力用スイッチ、ピッキング入力スイッチ、玩具等の接点入力スイッチにおいて、構造を簡素化することにより、構成部品数を低減し、組立製作を容易にすると同時に製造コストを低減することを目的とする簡易接点スイッチ係わる。
【背景技術】
【０００２】  従来、デジタル機器の入力用スイッチ、ピッキング入力スイッチ、玩具等の接点入力スイッチにおいて、操作レバーを有するスイッチでは、操作レバーを操作することによって、二次的にマイクロスイッチを作動させることによって、スイッチ機能を構成する方法が一般的であった。
【特許文献１】特開２００４−３０３５７０
【特許文献２】特開平１０−２４１５０７
【特許文献３】特開平０９−２７４８３１
【特許文献４】特開平１０−２２３０９２
【発明の開示】
【発明が解決しようとする課題】
【０００３】  デジタル機器の入力用スイッチ、ピッキング入力スイッチ、玩具等の接点入力スイッチにおいて、操作レバーを有するスイッチでは、操作レバーを操作することによって、二次的にマイクロスイッチを作動させることによって、スイッチ機能を構成する方法が使用されてきたが、近年、当該入力スイッチの使用において、機器のインターフェイス回路がインテリジェント化され、半導体回路が使用されてきた結果、動作電流が極めて微小であり、従来の接点構造のように一定以上の電流量下で使用する必要が無くなった用途が増加してきた。係る状況の中で、従来のスイッチは構造上、製造上において原価高となっており、安価なスイッチの利用に向かない欠点が生じ、問題であった。【０００４】  また、従来の入力スイッチは高価であったため、入力スイッチを数多く使用する設備では入力スイッチの数に比例し、全体システムが高額なものとなるという問題があった。
【課題を解決するための手段】
【０００５】  従来技術における操作レバーを有するスイッチの構成によれば、例えば完成したスイッチを部品として使用し操作レバーが機械的に当該スイッチを作動させる構造を持つ方法が使用されていた。【０００６】  従って、スイッチと操作レバー機構がそれぞれ必要であった。これらの従来型スイッチにおいては、低価格で、且つ円周方向にレバー操作をし、又、引っ張り方向動作を行う機能を合わせ持つようなスイッチを安価に製造することは難しかった。【０００７】  図５に従来のレバースイッチの例を示す。スイッチレバー１３は、ボールジョイント１４などの動作機構を介してマイクロスイッチ１５のスイッチボタン部分を押し、スイッチ動作するような機構とスイッチを有する。スイッチレバーに係る過剰な力がボールジョイントなどの軸受け機構で緩衝され、定まった距離範囲でマイクロスイッチのボタンを押す機構となっている。従来技術においては、当該機構とスイッチ機能をそれぞれ有するあるいは同様の機構が使用されてきた。【０００８】  このように、構成部品数が増加する分、それらを製造する型も増加し、低コスト化が難しかった。【０００９】  そこで、スイッチレバーの操作支点をバネによって支え、同時にそのバネがスイッチ本体の円筒部への固定する役割を果たす構造とすることで、スイッチレバーの延長上の接点部分と当該円筒部の内側電極が操作レバーを当該円筒部の円周方向及び引っ張り動作により、接触する構造をとることで、部品点数を減ずることが出来、また構造を簡素化することによるスイッチのコスト低減を可能とすることができる。
この構造によれば、通常開、レバー操作時閉状態を得ることができる。一般的に半導体回路を用いた入力回路においては、閉状態を保つ必要はなく、接点の瞬時接触で足りるため、この構造で十分使用可能である。【００１０】  又、上記と同様の構造を構成し、通常閉、レバー操作時に開となる構造とすることも可能であり、当該スイッチを使用して信号入力システムを構成すれば、通常閉状態で、スイッチを含む回路全体の断線及びスイッチの故障による開状態などの検知を行うことができ、これによって信号入力システムの診断を行った後、通常動作に移ることができる回路を実現できる。
【発明の効果】
【００１１】  本発明によれば、レバースイッッチの構造を簡単化し、部品点数を減ずることが可能となり、これによって、当該レバースイッチの製造工程を短縮することが出来、生産性を向上させることができると共に、レバースイッッチの低コスト化を実現できる効果がある。特に多数のスイッチによって構成されるピッキングシステムの低コスト化やゲーム設備、玩具などの低コスト化利用に効果がある。
【発明を実施するための最良の形態】
【００１２】  本発明の実施の形態を図面に基づいて説明する。図１は本発明による通常開型レバースイッチの断面図を示し、図２に当該通常開型レバースイッチの外観を示す。図３は本発明による通常閉型レバースイッチの断面図を示し、図４に当該通常閉型レバースイッチの外観を示す。
【実施例】
【００１３】  図１において、操作レバー１１の端部は操作を紐によって行うときの紐の取り付け穴を有し、操作レバー接続部１０にスプリング８と共に固定されており、操作レバー接続部１０には、先端部を電極とし、且つ根元部分に鍔状の電極を持つ電極９を構成している。当該操作レバー接続部１０はスプリング５によって円筒状接点電極７に固定されており、スプリング５が操作レバー接続部１０に固定されている部分のコイルスプリング径が最も小さくコイルスプリング素材の弾力性を均一なものを使用しても、バネの硬さを有するため、操作レバーを傾けた時の傾きの支点となり、スイッチレバーの動作支点構造や、支点の支え構造を必要とせず、これらの構造物及びこれらの構造物の成形に用いる型や組立の手間を省くことができる。円筒状接点電極７の内側には同じく円筒状絶縁体６が内接されており、その内側に円筒内面電極３を有し、この円筒内面電極３に操作レバーを傾けた際に電極９の先端が接触することによって、電極９と円筒内面電極３の間が導通し、レバースイッチが閉状態となる。これによって、図１は、通常開状態のレバースイッチを製作することができる。【００１４】  図１において、操作レバー１１を傾けた時に加わる過度な力は、コイルスプリング５が変形することにより吸収され、且つ支点がずれることにより、スイッチ動作の作用点も動き、より安定な接触を保つことができる。
スイッチ内部に支障となるごみの混入を防止するためのゴムキャップ１が設けられており、スイッチの内部に大きなごみの混入を防止している。【００１５】  又、電極９の鍔状部分は、操作レバーを引いた時における円筒底部電極４と接触することにより導通し、スイッチ閉を構成する。これによって、操作レバー１１の円周方向動作及び引っ張り動作のいずれにも作動するレバースイッチが得られる。
前記電極９と円筒内面電極３が通常操作レバー１１を操作されない時、円筒状絶縁体６によって絶縁されているが、操作レバー１１を円周方向に倒すあるいは、操作レバー１１の引張り動作により、電気的に導通し、接点信号が得られる。【００１６】  前記の接点信号は、接点電極７がコイルスプリング５を介して操作レバー１１を介して電極９と繋がっており、電極引き出し部２を経由して外部回路に配線される。
一方、円筒内面電極３も電極接続部２を介して、外部回路に配線され接点信号を取り出す構造となっている。【００１７】  操作レバー１１は、操作時の過剰な力を逃がしながら、電極９の傾斜動作を伝えるコイル状スプリング８によって繋げられており、操作レバー接続部１０介して電極９に繋がっている。
図２は、前述のレバースイッチの外観を示す。各々のスイッチ電極引き出し部２は、例えば半田付け端子として、信号配線ケーブル１２の接続部となる。又、外周の金属部を熱収縮性プラスチックにより覆い、スイッチ外部を絶縁構造とすることができる。前記熱収縮性プラスチックは、嵌め合い構造による当該スイッチの固定時の緩衝材機能も併せ持つ。【００１８】  図３は、前記レバースイッチと基本的に同一原理により、操作レバー１１をスプリング８で固定し、操作レバー１１の延長上の接点電極７が操作レバー１１を傾斜あるいは引張り動作が加わった時、固定側の接点電極７との導通が断となり、スイッチ動作が開状態となり、通常閉の状態から開へと状態の変化及び信号が得られる。【００１９】  通常ガイドスプリング１３により、接点電極７に固定された絶縁体であるスライドガイド１４を円筒状絶縁体６の内周面に沿って、対向する電極７に接触させており、操作レバーが動かされることにより、電極７先端がスライドガイド１４に乗り上げることにより、通常閉動作している当該スイッチが開状態となる。
裏面蓋１５は、レバースイッチ内部にごみが入り、スイッチ動作の支障を起こさないための蓋である。スライドガイド１４が円筒状絶縁体６の内周面に沿って摺動する場合に、摺動の終端となるストッパリング１６が設けられている。【００２０】  図４は前記図３の外形図である。当該スイッチを使用する場合の取り付け方法については、当該スイッチの円筒部を嵌め込み凹型部に嵌め込む方法又は、Ｕボルトで固定するなどの方法で取り付ける。又、前記通常開の場合のレバースイッチと同じく外側を熱収縮性プラスチックにより覆い、スイッチ外部を絶縁構造とすることができる。
【産業上の利用可能性】
【００２１】  組立生産工場等の部品棚に組立前の部品を配置し、必要な部品を棚から取り出し組立を行う所謂ピッキングシステムの場合、部品棚に部品種類相当数のピッキングスイッチを配置し、組立作業を行うものが、部品を取り出し、その取り出し作業を完了したことをホストコンピュータに知らせるべく、ピッキングスイッチを操作するが、多数のピッキングスイッチを使用するため、スイッチの価格がシステムの費用を高額にしていた。本発明の利用によれば、低コストのピッキングシステムが実現するほか、おもちゃや、ゲーム機の低コスト化に利用できる。【００２２】  図５に従来のレバースイッチの例を示す。スイッチレバー１７は、ボールジョイント１８により、マイクロスイッチ１９の接点を押す仕組みになっている。
【図面の簡単な説明】
【００２３】
【図１】本発明の通常開である簡易接点スイッチに関する基本構成の断面図である。
【図２】本発明の通常開である簡易接点スイッチに関する外観図である。
【図３】本発明の通常閉である簡易接点スイッチに関する基本構成の断面図である。
【図４】本発明の通常閉である簡易接点スイッチに関する外観図である。
【図５】従来型のスイッチ例
【符号の説明】
【００２４】１：ゴムキャップ
２：電極引き出し部
３：円筒内面電極
４：円筒底部電極
５：スプリング
６：円筒状絶縁体
７：接点電極
８：スプリング
９：電極
１０：操作レバー接続部
１１：操作レバー
１２：配線ケーブル
１３：ガイドスプリング
１４：スライドガイド
１５：裏面蓋
１６：ストッパリング
１７：スイッチレバー
１８：ボールジョイント
１９：マイクロスイッチ
【図１】
2006294574.tif 000003
【図２】
2006294574.tif 000004
【図３】
2006294574.tif 000005
【図４】
2006294574.tif 000006
【図５】
2006294574.tif 000007